(57)【要約】【課題】より少ない操作で、所望とする機能を起動させることができるようにする。【解決手段】ヘルプ連携部１２１は、機能制御部１２０の制御により利用者により選択された機能が起動されている状態で、利用者の指示による説明表示の指示を受け付け、全機能ヘルプ制御部１３０に対して起動指示を通知し、現在起動している機能の情報を全機能ヘルプ制御部１３０に通知する。また、表示対象とした機能説明に対応する機能の起動が、機能連携部１３２より機能制御部１２０に通知される。【選択図】  図１
2011124682.tif 000002
【特許請求の範囲】
【請求項１】
通話および情報の送受信機能を含む複数の機能を備え、これらの機能を制御する機能制御部および携帯電話機が備えている各機能の操作方法の説明を提示する全機能ヘルプ制御部を有する携帯電話機において、
前記機能制御部の制御により機能が起動している状態で、受け付けた説明表示の指示により、前記全機能ヘルプ制御部に対し、現在起動している前記機能の情報と共に、前記全機能ヘルプ制御部の起動指示を通知するヘルプ連携部と、
前記全機能ヘルプ制御部により表示対象とされた機能説明に対応する機能の起動を前記機能制御部に通知する機能連携部と
を少なくとも備え、
前記機能制御部は、前記機能連携部より通知された機能を起動することを特徴とする携帯電話機。
【請求項２】
請求項１記載の携帯電話機において、
前記ヘルプ連携部からの前記通知を受け付けた全機能ヘルプ制御部は、受け付けた機能に関連する機能説明の項目を表示対象とし、
前記機能連携部は、表示対象とした項目より選択されたて表示対象とされた機能説明に対応する機能の起動を前記機能制御部に通知することを特徴とする携帯電話機。
【発明の詳細な説明】
【技術分野】
【０００１】
本発明は、機能の説明を示す機能を備える携帯電話機に関するものである。
【背景技術】
【０００２】
近年では、携帯電話機の機能増加が図られるようになっており、多くの機能が搭載されるようになっている。また、搭載されている多くの機能は、複雑化し、また、各々操作方法も異なっている。これらの操作については、携帯電話機の取扱説明書に詳細が記載されているが、機能の多様化に伴い取扱説明書の内容量も多くなる。この結果、取扱説明書を読むことを敬遠してしまう人も多い。
【０００３】
このため、機能および操作方法をより簡便に知ることができるように、自身が有する機能の説明を提示する機能（ヘルプ機能）を搭載している携帯電話機が開発されている（特許文献１，２参照）。携帯電話機のヘルプ機能を用いることで、取扱説明書を読むことなく、携帯電話機の機能を調べることが可能となる。
【０００４】
このようなヘルプ機能には、主に次に示す２種類がある。まず、携帯電話機が備えているカメラ機能やテレビ機能などの各機能を選択する表示画面において、対応する機能の操作方法の説明を表示する機能（各機能ヘルプ）がある。また、携帯電話機が備えている全ての機能の操作方法の簡便な説明を表示する機能（全機能ヘルプ）がある。全機能ヘルプにおいては、説明されている操作について、説明の表示状態より対象とする機能を直接起動させることが可能とされている。
【先行技術文献】
【特許文献】
【０００５】
【特許文献１】特開平８−２７２５７２号公報
【特許文献２】特開平１０−０８４４０４号公報
【発明の概要】
【発明が解決しようとする課題】
【０００６】
しかしながら、「各機能ヘルプ」では、各々の機能に関する説明のみの「ヘルプ機能」であり、他の機能との連携性はない。また、説明されている機能を実行させるためには、「各機能ヘルプ」の機能を終了させ、この後、所望とする機能を起動させる操作が必要となり、所望とする機能を起動させるためには多くの操作が必要となる。
【０００７】
一方、前述したように、上述した技術では、「全機能ヘルプ」により説明されている機能を、直接起動させることが可能とされているが、「全機能ヘルプ」は、項目数が多いため、所望とする機能の説明を表示させるために、多くの手順を必要とする場合が多い。また、「全機能ヘルプ」では、キーワード入力による機能の絞り込みができる場合もあるが、キーワードには合致するが、所望としない多くの機能が表示されるため、所望とする機能の説明を探し出しすことが容易ではなく、所望とする機能を起動させるためには多くの操作が必要となる。また、所望としている機能を起動している状態では、「全機能ヘルプ」を呼び出すことができない。
【０００８】
本発明は、以上のような問題点を解消するためになされたものであり、より少ない操作で、所望とする機能を起動させることができるようにすることを目的とする。
【課題を解決するための手段】
【０００９】
本発明に係る携帯電話機は、通話および情報の送受信機能を含む複数の機能を備え、これらの機能を制御する機能制御部および携帯電話機が備えている各機能の操作方法の説明を提示する全機能ヘルプ制御部を有する携帯電話機において、機能制御部の制御により機能が起動している状態で、受け付けた説明表示の指示により、全機能ヘルプ制御部に対し、現在起動している機能の情報と共に、全機能ヘルプ制御部の起動指示を通知するヘルプ連携部と、全機能ヘルプ制御部により表示対象とされた機能説明に対応する機能の起動を機能制御部に通知する機能連携部とを少なくとも備え、機能制御部は、機能連携部より通知された機能を起動する。
【発明の効果】
【００１０】
以上説明したように、本発明によれば、全機能ヘルプ制御部に対し、現在起動している機能の情報と共に、全機能ヘルプ制御部の起動指示を通知し、表示対象とされた機能説明に対応する機能の起動を機能制御部に通知するようにしたので、より少ない操作で、所望とする機能を起動させることができるという優れた効果が得られる。
【図面の簡単な説明】
【００１１】
【図１】本発明の実施の形態における携帯電話機の構成例を示す構成図である。
【図２】本発明の実施の形態における携帯電話機の動作例を説明するためのフローチャートである。
【発明を実施するための形態】
【００１２】
以下、本発明の実施の形態について図を参照して説明する。図１は、本発明の実施の形態における携帯電話機の構成を示す構成図である。この携帯電話機は、まず、現在市販されている一般的な携帯電話機と同様に、アンテナ１０１，送受信部１０２，主制御部１０３，操作部１０４，操作制御部１０５，固定記憶部１０６，一時記憶部１０７，表示部１０８，および表示制御部１０９を備える。また、携帯電話機は、例えば、表示部１０８の上部に受話部（不図示）を備え、操作部１０４の下部に送話部（不図示）を備える。
【００１３】
携帯電話機では、利用者による操作部１０４の操作により入力されて操作制御部１０５で受け付けた指示、およびアンテナ１０１，送受信部１０２で受信された信号をもとにした主制御部１０３の制御により、通話の制御や情報の送受信が行われる。また、利用者による操作の受け付けの状態および通信の状態などが表示制御部１０９の制御により表示部１０８に表示され、利用者に視認可能となる。また、これらは、固定記憶部１０６に記憶されたプログラムに従った主制御部１０３の動作により実現される。また、固定記憶部１０６には、暗証番号などの暗証情報が記憶されている。
【００１４】
また、本実施の形態における携帯電話機は、上述した携帯電話機の通話機能および情報の送受信機能以外に、例えば、カメラ機能，テレビ機能、メディアプレーヤー機能などの機能を備えており、これらの機能を制御する機能制御部１２０を備える。機能制御部１２０は、例えば、利用者による操作部１０４の操作により入力されて操作制御部１０５で受け付けた機能を起動し、また、受け付けた停止指示により起動している機能を停止する。機能制御部１２０により制御されて実行（提供）される各機能は、例えば、一時記憶部１０７を作業用の記憶部として用いて各動作を実現する。前述した通話機能および情報の送受信機能も同様に、機能制御部１２０に起動および停止などが制御される。
【００１５】
また、携帯電話機は、携帯電話機が備えている各機能の操作方法の説明を提示する全機能ヘルプ制御部１３０を備える。全機能ヘルプ制御部１３０は、例えば、利用者による操作部１０４の操作により入力されて操作制御部１０５で受け付けた起動指示により、ヘルプ機能を起動し、機能項目を一覧表示する。機能項目の数が多く、表示部１０８に一度に表示することができない場合、画面をスクロールさせることで全ての機能項目が表示される。このようにして機能項目が表示されている中で、利用者により選択指示された項目の機能説明が、全機能ヘルプ制御部１３０の制御により固定記憶部１０６より取り出され、表示制御部１０９の制御により表示部１０８に表示される。
【００１６】
また、全機能ヘルプ制御部１３０は、利用者からの機能検索指示を受け付けると、例えば、キーワードを入力する領域を表示するキーワード検索画面を表示する。この検索画面で、キーワードが入力されて検索指示が入力されると、全機能ヘルプ制御部１３０は、入力されたキーワードを含む機能説明の項目を絞り込み、これらの一覧を表示する。このように絞り込み表示された一覧より、利用者に選択指示された機能説明が、全機能ヘルプ制御部１３０の制御により固定記憶部１０６より取り出され、表示制御部１０９の制御により表示部１０８に表示される。
【００１７】
上述した構成に加え、本実施の形態における携帯電話機では、機能制御部１２０が、ヘルプ連携部１２１および機能連動受付部１２２を備える。また、全機能ヘルプ制御部１３０が、指示受付部１３１および機能連携部１３２を備える。
【００１８】
ヘルプ連携部１２１は、機能制御部１２０の制御により利用者により選択された機能が起動されている状態で、利用者の指示による説明表示の指示を受け付け、全機能ヘルプ制御部１３０に対して起動指示を通知する。また、ヘルプ連携部１２１は、現在起動している機能の情報を全機能ヘルプ制御部１３０に通知する。これら通知は、指示受付部１３１で受け付けられる。
【００１９】
上述した起動指示および機能の情報の通知が指示受付部１３１で受け付けられると、全機能ヘルプ制御部１３０では、通知を受けた機能に関連する機能説明の項目に絞り込んだ状態で、絞り込んだ項目を表示対象とする。また、全機能ヘルプ制御部１３０では、表示対象とした項目の中より、利用者に選択された項目の機能説明を表示対象にすると共に、表示対象とした機能説明に対応する機能の起動を、機能連携部１３２より機能制御部１２０に通知する。このようにして通知された機能の起動指示は、機能起動受付部１２２で受け付けられる。このようにして起動指示を受け付けると、機能制御部１２０は、起動指示に対応する機能を起動する。
【００２０】
以下、本実施の形態における携帯電話機の動作例について、図２のフローチャートを用いて説明する。
【００２１】
まず、「カメラ機能」や「テレビ機能」などの機能の起動支持が入力されると（ステップＳ２０１）、機能制御部１２０が、対象とする機能を起動する（ステップＳ２０２）。例えば、「カメラ機能」が起動される。次に、説明表示の指示が入力されると（ステップＳ２０３）、ヘルプ連携部１２１が、全機能ヘルプ制御部１３０に対して起動指示および現在起動している機能の情報を全機能ヘルプ制御部１３０に通知する（ステップＳ２０４）。
【００２２】
上述した起動指示および機能情報との通知は、全機能ヘルプ制御部１３０の指示受付部１３１で受け付けられる。このようにして指示受付部１３１が通知を受け付けると、全機能ヘルプ制御部１３０は、ヘルプ機能を起動し（ステップＳ２０５）、受け付けた機能情報をもとに機能説明の項目を絞り込む（ステップＳ２０６）。このようにして絞り込まれた関連項目は、表示制御部１０９の制御により表示部１０８に表示される（ステップＳ２０７）。例えば、「カメラ機能」に関連する機能説明が表示部１０８に表示される。
【００２３】
この表示の状態で、キーワード検索モードの指示（ステップＳ２０８），項目の選択指示（ステップＳ２０９）の入力を待つ。これらの入力待ちの状態は、設定されている時間は維持される（ステップＳ２１０）。
【００２４】
上述した入力待ちの状態で、表示されているいずれかの項目の選択指示が入力されると（ステップＳ２０９のＹ）、全機能ヘルプ制御部１３０により選択された項目の機能説明が固定記憶部１０６より取り出され、取り出された機能説明が、表示制御部１０９の制御により表示部１０８に表示される（ステップＳ２２２）。例えば、「記録画素数設定機能」の機能説明が選択され、「記録画素数設定機能」の機能説明が表示される。
【００２５】
一方、上述した入力待ちの状態で、利用者の操作によりキーワード検索モードの指示が入力されると（ステップＳ２０８のＹ）、全機能ヘルプ制御部１３０は、キーワードを入力する領域を表示するキーワード検索画面を表示する。この検索画面で、キーワードが入力されて検索指示が入力され（ステップＳ２１２のＹ）、入力されたキーワードを含む機能説明が検索されると（ステップＳ２１３のＹ）、検索された機能説明が表示制御部１０９の制御により表示部１０８に表示される（ステップＳ２１４）。例えば、キーワードとして、「記録画素数」が入力され、「記録画素数設定機能」の機能説明が検索されて「記録画素数設定機能」の機能説明が表示される。
【００２６】
以上のようにすることで機能説明が表示されると、機能連携部１３２が、表示された機能説明に対応する機能の起動指示を機能制御部１２０に通知する（ステップＳ２１５）。この起動指示の通知は、機能制御部１２０の機能起動受付部１２２で受け付けられる。機能起動受付部１２２で起動指示の通知が受け付けられると、機能制御部１２０は、受け付けられた起動指示に対応する機能を起動する（ステップＳ２１６）。例えば、「記録画素数設定機能」が起動され、表示部１０８には、記録画素数を選択させる画面が表示される。
【００２７】
以上に説明したように、本実施の形態によれば、例えば、「カメラ機能」の中の「記録画素数設定機能」の起動操作が不明であっても、「カメラ機能」を起動し、この状態で「ヘルプ機能」を起動し、項目の選択指示もしくはキーワード検索により、「記録画素数設定機能」の機能説明の表示と共に、「記録画素数設定機能」を起動させることができるようになる。このように、本実施の形態によれば、より少ない操作で、所望とする機能を起動させることができるようになる。
【００２８】
特に、携帯電話機では、携帯性を優先させているために電源の制限や寸法の制限があり、限られた演算処理能力で限られた表示領域内に様々な表示を行うことになるため、起動している機能に関する表示と、機能（操作）の説明とを、同じ表示が面内に表示させることが現実的ではない。このため、携帯電話機では、様々な表示を切り替えて行うことになる。このような中で、一般には、前述したように各機能の説明を表示させると、説明表示の機能を終了した後、所望とするカメラ機能やテレビ機能などを起動することになる。このため、所望とする機能を起動するまでの多くの操作が必要となる。これに対し、本発明によれば、上述したように、説明表示の機能（ヘルプ機能）を終了することなく、所望とする機能の起動が行われるので、所望とする機能を起動するまでの操作数を低減させることが可能となる。
【００２９】
ここで、上述した携帯電話機は、ＣＰＵと主記憶装置と外部記憶装置と無線接続装置となどを備えたコンピュータ機器であり、主記憶装置に展開されたプログラムによりＣＰＵが動作することで、上述した各機能が実現される。なお、本発明は以上に説明した実施の形態に限定されるものではなく、本発明の技術的思想内で、当分野において通常の知識を有する者により、多くの変形が実施可能であることは明白である。
【符号の説明】
【００３０】
１０１…アンテナ、１０２…送受信部、１０３…主制御部、１０４…操作部、１０５…操作制御部、１０６…固定記憶部、１０７…一時記憶部、１０８…表示部、１０９…表示制御部、１２０…機能制御部、１２１…ヘルプ連携部、１２２…機能連動受付部、１３０…全機能ヘルプ制御部、１３１…指示受付部、１３２…機能連携部。
【図１】
2011124682.tif 000003
【図２】
2011124682.tif 000004